(57)【要約】      （修正有）【課題】携帯用品のマスコットとなるボールペンを提供する。【解決手段】ボールペン外軸１０の先端部１０Ａにキャップ１２を嵌合させた縮小状態から、ボールペン外軸１０をキャップ１２との嵌合状態から脱してボールペン軸２の外表面上を後方に摺動して伸長できるような簡易な構成により、ユーザの掌に入る程度のマスコットとして用いることができると共に、ユーザが筆記操作できる程度に伸長した状態の筆記具として活用できるような携帯用品用のボールペンを得ることができる。【選択図】図１
0003113653.tif 000002
【実用新案登録請求の範囲】
【請求項１】
ボールペン芯を保持するボールペン軸と、
後方端側から上記ボールペン軸に挿入され、上記ボールペン軸の外表面上を、当該ボールペン軸の軸線に沿うように摺動するボールペン外軸と、
上記ボールペン軸に先端側から着脱できるように挿入されるキャップと
を具え、
上記キャップは第１の嵌合力で上記ボールペン軸に着脱できるように嵌合すると共に、第２の嵌合力で上記ボールペン外軸の先端部に着脱できるように嵌合し、
上記ボールペン外軸は上記先端部が上記キャップとの嵌合状態を脱して後方に摺動したとき、当該先端部が上記ボールペン軸の後端部に第３の嵌合力で着脱できるように嵌合する
ことを特徴とするボールペン。
【請求項２】
上記キャップは、先端に、携帯用品のストラップに結合するストラップ取付リングを有する
ことを特徴とする請求項１に記載のボールペン。
【考案の詳細な説明】
【技術分野】
【０００１】
本考案はボールペンに関し、特に携帯用品のストラップに取り付けて好適な伸縮ボールペンを得ようとするものである。
【背景技術】
【０００２】
一般に、携帯電話などの携帯用品においては、置き忘れなどの紛失を防止するため、又は装身効果を得るためなどの理由で、ストラップの先端にマスコットとしてキャラクタグッズなどを取り付けるような習慣があり、当該キャラクタグッズに代えて実用性のある製品、例えば実用に供し得るような伸縮ボールペンを取り付けることができれば実用的効用があると考えられる。
【０００３】
伸縮ボールペンとしては、特許文献１に示すようなねじ式機構によって伸縮させる構成のものが提案されている。
【特許文献１】特開２００５−１１１７４２公報
【考案の開示】
【考案が解決しようとする課題】
【０００４】
ところが、携帯用品にマスコットとしてつり下げるものであるから、ボールペン自体の全体の構成が小型軽量である（少なくとも掌に入る程度に小さいものである）ことが必要であると共に、ユーザが当該ボールペンを手に持って書き易くする必要がある。
【０００５】
本考案は以上の点を考慮してなされてもので、ユーザが用意に筆記操作ができるようにした小型軽量なのボールペンを提案しようとするものである。
【課題を解決するための手段】
【０００６】
かかる課題を解決するため本考案においては、ボールペン芯３を保持するボールペン軸２と、後方端側からボールペン軸２に挿入され、ボールペン軸２の外表面上を当該ボールペン軸２の軸線に沿うように摺動するボールペン外軸１０と、ボールペン軸２に先端側から着脱できるように挿入されるキャップ１２とを具え、キャップ１２は第１の嵌合力でボールペン軸２に着脱できるように嵌合すると共に、第２の嵌合力でボールペン外軸１０の先端部に着脱できるように嵌合し、ボールペン外軸１０は先端部１０Ａがキャップ１２との嵌合状態を脱して後方に摺動したとき、当該先端部１０Ａがボールペン軸２の後端部２Ｄに第３の嵌合力で着脱できるように嵌合する。
【考案の効果】
【０００７】
本考案によれば、ボールペン外軸１０の先端部１０Ａにキャップ１２を嵌合させた縮小状態から、ボールペン外軸１０をキャップ１２との嵌合状態から脱してボールペン軸２の外表面上を後方に摺動して伸長できるような簡易な構成により、ユーザの掌に入る程度のマスコットとして用いることができると共に、ユーザが筆記操作できる程度に伸長した状態の筆記具として活用できるような携帯用品用のボールペンを得ることができる。
【考案を実施するための最良の形態】
【０００８】
以下図面について、本考案の一実施の形態を詳述する。
【０００９】
図１において、１は全体としてボールペンを示し、円筒形状を有する合成樹脂材料でなるボールペン軸２内に配設された金属性ボールペン芯３が、後部栓４によってボールペン軸２内に、その中心線上に位置するように固定されている。
【００１０】
この実施の形態の場合、ボールペン軸２は、先端に行くに従って円筒先端部２Ａを通って先細りにしぼり込まれた先細り先端部２Ｂを有し、これにより先細り先端部２Ｂの内側表面がボールペン芯３の先端部３Ａの外表面に当接することによりボールペン軸２の中心線上にボールペン芯３を保持する。
【００１１】
後部栓４は短い円筒状合成樹脂材料で構成され、その外周面に設けられた環状の嵌合突起４Ａがボールペン軸２の後端段部２Ｃ内の表面に穿設された嵌合溝２Ｄに嵌合することにより、ボールペン芯３の先端部３Ａに設けられているボールによって筆記用紙に筆記をする際に受ける筆圧以上の嵌合力（約２〔ｋｇ〕以上）で相互に嵌合することにより、筆記操作ができる状態でボールペン芯３がボールペン軸２と一体に保持される。
【００１２】
ボールペン軸２の外側には、円筒状合成樹脂材料でなるボールペン外軸１０が摺動自在に挿入されている。
【００１３】
ボールペン外軸１０の先端部には、円環状に内側に突出するように先端段部１０Ａが形成され、その突出面がボールペン軸２の外表面に前後方向に摺動できるように当接していると共に、ボールペン軸２の後端部には円環状に外方に突出するように後端段部２Ｃが形成され、その突出面がボールペン外軸１０の内表面に前後方向に摺動できるように当接している。
【００１４】
これによりボールペン外軸１０が後方に引っ張られたとき、ボールペン外軸１０の先端段部１０Ａ及びボールペン軸２の後端段部２Ｃがそれぞれ摺動動作することによりボールペン外軸１０が後方に摺動して、その先端段部１０Ａがボールペン軸２の円筒後端部２Ｅ上を摺動しながら後方に移動して後端段部２Ｃに係合する状態になるようになされている。
【００１５】
ボールペン外軸１０の後端開口には、後端面を閉塞した円筒形状の外軸栓１１が嵌め込まれており、これによりボールペン外軸１０がボールペン軸２に対して前方方向に摺動したとき、外軸栓１１の先端面がボールペン軸２の後端面に係止されることにより、ボールペン外軸１０がボールペン軸２より前方に脱落しないようになされている。
【００１６】
この実施の形態の場合、ボールペン外軸１０の後端部内面には円環状の嵌合突起１０Ｂが突出し、この嵌合突起１０Ｂが外軸栓１１の外表面に形成された嵌合溝１１Ａに３〜５〔ｋｇ〕程度の嵌合力で圧入固定されている。
【００１７】
ボールペン軸２の円筒先端部２Ａには、先方側からキャップ１２が着脱自在に装着される。
【００１８】
キャップ１２は、ボールペン軸２の円筒先端部２Ａを覆う円筒形状の嵌合部１２Ａと、この嵌合部１２Ａの先端から円錐状に突出する帽子部１２Ｂと、帽子部１２Ｂの先端から外方に突出する円環状のストラップ取付リング１２Ｃとを有する。
【００１９】
この実施の形態の場合、嵌合部１２Ａの内径は、ボールペン軸２の円筒先端部２Ａの外径より０．０５〜０．１０〔ｍｍ〕程度小さい値に選定され、これによりキャップ１２がボールペン軸２に前方から挿入されたとき、キャップ１２の嵌合部１２Ａがボールペン軸２の円筒先端部２Ａに１．０〜１．５〔ｋｇ〕程度の嵌合力で嵌合する。
【００２０】
キャップ１２の嵌合部１２Ａの後方開口部分には円環状に外方に突出する鍔部１２Ｄが形成されると共に、当該鍔部１２Ｄの後端面にボールペン外軸１０の先端段部１０Ａと嵌合する嵌合溝１２Ｅが穿設され、これによりキャップ１２がボールペン軸２の先端に挿入されたとき、キャップ１２の嵌合溝１２Ｅがボールペン外軸１０の先端段部１０Ａに嵌合することにより、キャップ１２がボールペン外軸１０と一体にボールペン芯３及びボールペン軸２でなるボールペン本体５を内部に収納する。
【００２１】
この実施の形態の場合、ボールペン外軸１０の先端段部１０Ａの外径がキャップ１２の嵌合溝１２Ｅの内径より０．０５〜０．１０〔ｍｍ〕程度大きい値に選定され、これによりボールペン外軸１０の先端段部１０Ａがキャップ１２の嵌合溝１２Ｅに嵌合したとき、キャップ１２の嵌合部１２Ａとボールペン軸２の円筒先端部２Ａとの嵌合力より小さい嵌合力（０．８〜１．２〔ｋｇ〕程度）を生じさせる。
【００２２】
以上の構成において、ボールペン１は筆記用具として使用しない状態においては、図１に示すように、キャップ１２をボールペン本体５の先端部に挿入した状態において、キャップ１２の後端部に形成されている鍔部１２Ｄの嵌合溝１２Ｅにボールペン外軸１０の先端段部１０Ａを嵌合させた状態にある。
【００２３】
このとき、ボールペン１は全体として縮小した状態にあり、その長さは約５０〔ｍｍ〕程度になる。
【００２４】
従ってこの縮小状態にあるボールペン１は、掌に入るぐらいの大きさになるので、キャップ１２の先端に設けられているストラップ取付リング１２Ｃを携帯用品例えば携帯電話のストラップに取り付けることにより、携帯用品のマスコットとして機能させるように用いることができる。
【００２５】
この状態において、ボールペン１を筆記具として使う場合には、ユーザはキャップ１２を一方の手で握ると共に、ボールペン外軸１０を他方の手で握って両者を引き離すように操作する。
【００２６】
このとき、先ず図２に示すように、ボールペン外軸１０の先端段部１０Ａがキャップ１２の鍔部１２Ｄの嵌合溝１２Ｅとの嵌合状態を離れてボールペン軸２の円筒先端部２Ａの外周面上を後方に摺動して行く。
【００２７】
因みに、先端段部１０Ａの嵌合溝１２Ｅに対する嵌合力は、ボールペン軸２の円筒先端部２Ａに対するキャップ１２の嵌合部１２Ａの嵌合力より小さい値に選定されているので、先ずボールペン外軸１０の先端段部１０Ａがキャップ１２の嵌合溝１２Ｅとの嵌合状態から離れ、その結果ボールペン外軸１０は、ボールペン軸２上を後方に向かって摺動することにより、ボールペン軸２から後方に伸長して行く。
【００２８】
やがて図３に示すように、ボールペン外軸１０の先端段部１０Ａが、ボールペン軸２の後端段部２Ｃに係止されるまで後方に摺動すると、ボールペン外軸１０はそれ以上ボールペン軸２から後方に摺動できなくなる。
【００２９】
このときユーザが、ボールペン外軸１０に与えている後方への引張力は、ボールペン軸２を介して円筒先端部２Ａに伝えられることにより、当該円筒先端部２Ａがキャップ１２の嵌合部１２Ａとの嵌合力以上の大きな力で後方に引っ張られることになる。
【００３０】
このとき円筒先端部２Ａは嵌合部１２Ａとの嵌合状態を維持できなくなることにより、ボールペン軸２がキャップ１２から離れて後方に引き抜かれることになる。
【００３１】
かくしてボールペン本体５はキャップ１２から引き抜かれることにより、その先細り先端部２Ｂから先端側に突出しているボールペン芯３の先端部３Ａのボールペン部を使って筆記用紙に対する筆記ができる状態になる。
【００３２】
このときユーザは、ボールペン軸２と当該ボールペン軸２より後方に伸長したボールペン外軸１０とを手に持ってボールペン本体５によって筆記用紙に対する筆記ができる。
【００３３】
この状態において、後部栓４の嵌合突起４Ａの嵌合溝２Ｄに対する嵌合力が筆記圧より大きい値に選定されていることにより、ボールペン芯３の先端部３Ａに設けられているボールペン部が充分な筆記圧力によって筆記用紙に対する筆記をすることができる。
【００３４】
この実施の形態の場合、ボールペン軸２の円筒後端部２Ｅのうち後端段部２Ｃに近い部分の外径は、所定の長さ（約１．５〔ｍｍ〕の長さ）で先端段部１０Ａの内径より０．１５〔ｍｍ〕程度大きい値に選定され、これによりボールペン外軸１０が伸長状態になったとき、先端段部１０Ａが円筒後端部２Ｅに対して１．５〔ｋｇ〕程度の嵌合力で嵌合することによってボールペン外軸１０及びボールペン軸２がその伸長状態を安定に維持できる。
【００３５】
従って、ボールペン軸２の円筒後端部２Ｅに対するボールペン外軸１０の先端段部１０Ａの嵌合力によってボールペン外軸１０はボールペン軸２上を先端方向に滑らないように止めることができることにより、ユーザはボールペン外軸１０がボールペン軸２から後方に伸長した分だけボールペン本体５を長くした（例えば約１．４倍程度に長くした）状態でボールペン本体５を安定に持ちながら筆記操作をすることができる。
【００３６】
この状態からボールペン本体５を元の縮小したマスコット状態に戻すには、ボールペン本体５をキャップ１２に挿入して押し込むような操作をする。
【００３７】
このとき、キャップ１２の嵌合部１２Ａがボールペン軸２の円筒先端部２Ａと嵌合すると共に、ボールペン外軸１０の先端段部１０Ａがボールペン軸２の円筒後端部２Ｅとの嵌合状態を離れて、ボールペン外軸１０がボールペン軸２の外表面上を摺動しながら縮小動作して行き、やがてボールペン外軸１０の先端段部１０Ａがキャップ１２の嵌合溝１２Ｅと嵌合する状態になったとき、ボールペン１は全体としてマスコットとしての縮小状態になる。
【００３８】
以上の構成によれば、ボールペン１は、常時は、ボールペン本体５がキャップ１２とボールペン外軸１０とで覆われた掌に入る程度の大きさのマスコットになるのに対して、ボールペン１を筆記具として活用する場合には、キャップ１２から引き離すようにボールペン外軸１０を引っ張るだけの簡易な操作によってボールペン本体５をキャップ１２から離れた筆記動作状態にすることができると共に、ボールペン本体５をキャップ１２に挿入しボールペン外軸１０を押し込むだけで簡便に元のマスコット状態に戻すことができる。
【００３９】
この結果、携帯用品のマスコットを簡便に筆記用具に活用できるような小型で、簡易な構成、従って軽量なボールペンを実現できる。
【産業上の利用可能性】
【００４０】
本考案は筆記用具としてのボールペンを携帯用品のマスコットとして使用する場合に適用できる。
【図面の簡単な説明】
【００４１】
【図１】本考案の一実施の形態によるボールペンを示す縦断面図である。
【図２】ボールペン外軸の伸長動作状態を示す縦断面図である。
【図３】キャップからの離脱状態を示す縦断面図である。
【符号の説明】
【００４２】
１……ボールペン、２……ボールペン軸、２Ａ……円筒先端部、２Ｂ……先細り先端部、２Ｃ……後端段部、２Ｄ……嵌合溝、２Ｅ……円筒後端部、３……ボールペン芯、３Ａ……先端部、４……後部栓、４Ａ……嵌合突起、５……ボールペン本体、１０……ボールペン外軸、１０Ａ……先端段部、１０Ｂ……嵌合突起、１１……外軸栓、１２……キャップ、１２Ａ……嵌合部、１２Ｂ……帽子部、１２Ｃ……ストラップ取付リング、１２Ｄ……鍔部、１２Ｅ……嵌合溝。
【図１】
0003113653.tif 000003
【図２】
0003113653.tif 000004
【図３】
0003113653.tif 000005